(57)【要約】【課題】保安ゲートにおいて人の流れを止めることなく、検査装置を意識させずに、移動している間に鮮明なＸ線画像を得るようにしたＸ線検査システムをを提供する。【解決手段】人がひとりずつ通る検査通路１と、検査通路の所定位置５を人４が通過するときにＸ線透過像を取得するように配置されたＸ線源２とＸ線検出器３からなるＸ線撮影装置と、所定の撮影位置５より前の位置に人の移動速度を計測する速度センサ９を備え、速度センサ９により被験者４の移動速度を計測し、その移動速度に基づいてＸ線源２の強度を抑制して被曝を低減させるようにしてＸ線撮影を行い、出力される画像信号に基づいて被験者の身に付けた物体を検知する。【選択図】　図１
2004069576.tif 000002
【特許請求の範囲】
【請求項１】
人がひとりずつ通る検査通路と、該検査通路の所定位置を人が通過するときにＸ線透過像を取得するように配置されたＸ線源とＸ線検出器からなるＸ線撮影装置と、該検査通路の前記所定位置より前の位置に人の移動速度を計測する速度センサを備え、該速度センサにより検査対象とする被験者の移動速度を計測し、該移動速度に基づいて前記Ｘ線源の照射条件を調整して、Ｘ線撮影を行い出力される画像信号に基づいて該被験者の身に付けた物体を検知することを特徴とする保安用Ｘ線身体検査システム。
【請求項２】
前記速度センサは、前記検査通路の一方の側部から照明し、他方の側部に、多数のファイバ端を直線に並べて入射光の位置を検出するファイバセンサ、多数の光電スイッチを列として並べたセンサ、もしくはエリアセンサのいずれかを配置したもの、または一つの画像センサ、またはスピードガンのいずれかであることを特徴とする請求項１記載の保安用Ｘ線身体検査システム。
【請求項３】
さらに、前記検査通路に前記被験者の身体の厚さを計測する体厚センサを備え、該体厚センサの計測結果に基づいて前記Ｘ線源の照射条件を調整することを特徴とする請求項１または２記載の保安用Ｘ線身体検査システム。
【請求項４】
前記体厚センサは、前記検査通路の一方の側部から照明し、他方の側部に、多数のファイバ端を直線に並べて入射光の位置を検出するファイバセンサ、多数の光電スイッチを列として並べたセンサ、もしくはエリアセンサのいずれかを配置したもの、または一つの画像センサのいずれかであることを特徴とする請求項１記載の保安用Ｘ線身体検査システム。
【請求項５】
さらに、前記検査通路に監視カメラを設置し、前記被験者の顔もしくは全身の映像を取得して、前記取得したＸ線映像の画像信号と対応づけてデータベースに記録することを特徴とする請求項１から４のいずれかに記載の保安用Ｘ線身体検査システム。
【請求項６】
前記所定位置に被験者が存在することを検出する人センサを備えて、該人センサの検出信号に基づいて前記Ｘ線撮影装置を作動させて、Ｘ線撮影を行うようにしたことを特徴とする請求項１から５のいずれかに記載の保安用Ｘ線身体検査システム。
【請求項７】
前記人センサは、手や足で駆動する接点式スイッチ、体重を検知する荷重スイッチ、体温を感知する温度センサスイッチ、接触センサ、超音波センサ、赤外センサのいずれかであることを特徴とする請求項６記載のＸ線検査装置。
【請求項８】
前記Ｘ線源とＸ線検出器は、両者を結ぶ直線が前記所定位置を通り前記検査通路の進行方向に角度をもって交わるように、それぞれ前記検査通路の側部に配置されることを特徴とする請求項１から７のいずれかに記載の保安用Ｘ線身体検査システム。
【請求項９】
前記Ｘ線源とＸ線検出器は、両者を結ぶ直線が前記所定位置を通り前記検査通路の進行方向に角度をもって交わるように、それぞれ前記検査通路の天井と床下に配置されることを特徴とする請求項１から７のいずれかに記載の保安用Ｘ線身体検査システム。
【請求項１０】
前記検査通路の入口に人の通過を妨げる入口障害物を備え、さらに前記検査通路中に人が存在することを検知する人センサを備えて、該人センサが人の存在を検出していないときのみ該入口障害物をどかして人が前記通路に立ち入ることができるようにしたことを特徴とする請求項１から９のいずれかに記載の保安用Ｘ線身体検査システム。
【請求項１１】
前記Ｘ線検出器が、１次元Ｘ線センサを備えて対象物と相対的に移動することにより撮影する方式であることを特徴とする請求項１から１０のいずれかに記載の保安用Ｘ線身体検査システム。
【請求項１２】
前記Ｘ線検出器が、２次元Ｘ線センサを備えて対象物を一括撮影する方式であることを特徴とする請求項１から１０のいずれかに記載の保安用Ｘ線身体検査システム。
【請求項１３】
前記検査通路の出口に出口障害物を備え、側部に詳細検査場に通じる扉を備えて、前記Ｘ線撮影装置のＸ線撮影画像に不審物が発見できないときに前記出口障害物を退けて被験者が出られるようにし、不審物が発見されたときに前記詳細検査場への扉を開いて該被験者を該詳細検査場に案内することを特徴とする請求項１から１２のいずれかに記載の保安用Ｘ線身体検査システム。
【請求項１４】
前記検査通路にコンベヤを設備して、被験者が該コンベヤによって搬送されるようにしたことを特徴とする請求項１から１３のいずれかに記載の保安用Ｘ線身体検査システム。
【発明の詳細な説明】
【０００１】
【発明の属する技術分野】
本発明は、空港や建物などの出入り口に設置して、爆発物、刃物、銃器などの危険物や麻薬など、機内持ち込みを禁止する危険物や通関できない禁制品の持ち込みを阻止する保安ゲートにおけるＸ線検査装置に関し、特に人が移動している最中にＸ線撮影を行うようにしたＸ線検査システムに関する。
【０００２】
【従来の技術】
従来、出発空港ではハイジャックやテロを防止するため、機内持ち込みの手荷物については、中身をＸ線で撮影し、収納物の形状に基づいて検査している。また、搭乗客については、金属探知器を仕込んだゲートに通し、身に付けた大型の金属製品を検出して凶器となるナイフや銃器を飛行機に持ち込ませないようにしている。
一方、到着空港では、麻薬その他の禁輸品の国内持ち込みを防ぐため、不審者について持ち込み荷物の中身を検査したり、尋問したり身体検査をすることにより不審物を探り出す。
しかし、機械装置によっては、搭乗客が身に付けた非金属製危険物や小型の凶器類は検出することができない。また体内や靴底などに隠した麻薬などを検出することもできない。
【０００３】
旅客機を用いたテロがあると被害は甚大なものとなるので、Ｘ線照射の人体に対する影響を考慮しても、総合的な安全のために搭乗者全員についてＸ線検査を行って禁制品の機内持ち込みを防止することが求められる事態が発生することがある。
また従来も、不審者についてはＸ線装置を用いてＸ線撮影による身体検査を行って身に付けた武器や麻薬などの禁制品を洗い出していた。
【０００４】
このようなＸ線身体検査装置として、オランダのエムエムシー社（ＭＭＣ　Ｉｎｔｅｒｎａｔｉｏｎａｌ　Ｃｏ．）製のＣｏｎｐａｓｓ　Ｂｏｄｙ　Ｓｃａｎｎｅｒ（商品名）がある。この製品は、垂直のスリット状Ｘ線ビームを照射しているところを水平方向に走行する移動台に被験者が乗って横方向に移動する間に１次元センサをスキャンし重畳して平面画像にする。こうして合成された平面画像を係官が観察し、対象物を検出したときに報知する。
また、アメリカのラピスキャンセキュリティプロダクツ社（Ｒａｐｉｓｃａｎ　Ｓｅｃｕｒｉｔｙ　Ｐｒｏｄｕｃｔｓ　Ｃｏ．）製のセキュリティ１０００（商品名）は、被験者を測定面前に立たせてペンシル状のＸ線ビームで全身をスキャンし、被験者に当たって散乱したＸ線を検出することにより服の下に隠した物体の存在を検知する。
【０００５】
これら従来のＸ線身体検査装置では、人の流れを堰き止めて特定の検査を受けさせるので、検査に時間がかかり流れを渋滞させる。また、被験者は被疑者であるような心理状態になり、人権を侵されたような抵抗感を抱くことになる。また、被験者をわざわざ検査装置の方へ導くため、機会を見て禁制品や凶器などを隠したり放棄する余裕が生じる。
【０００６】
【発明が解決しようとする課題】
そこで、本発明が解決しようとする課題は、保安ゲートにおいて人の流れを止めることなく、検査装置を意識させずに、移動している間に鮮明なＸ線画像を得るようにしたＸ線検査システムを提供することである。
【０００７】
【課題を解決するための手段】
上記課題を解決するため、本発明の保安用Ｘ線身体検査システムは、人がひとりずつ通る検査通路と、検査通路の所定位置を人が通過するときにＸ線透過像を取得するように配置されたＸ線源とＸ線検出器からなるＸ線撮影装置と、撮影に用いる所定位置より前の位置に人の移動速度を計測する速度センサを備え、速度センサにより検査対象とする被験者の移動速度を計測し、その移動速度に基づいてＸ線源の照射条件を調整してＸ線撮影を行い、出力される画像信号に基づいて被験者の身に付けた物体を検知することを特徴とする。
【０００８】
本発明のＸ線身体検査システムは、搭乗客や入国者がゲートを通過する間にＸ線透過による身体検査を受けさせるようにしたもので、搭乗者等を全員検査する場合にもゲートを通過中に検査が終わるので、効率よくかつ不愉快な気持ちを抱かせずに検査することができる。また、Ｘ線撮影であるので、金属探知器には反応しないような非金属製の凶器や麻薬など隠し持った禁制品を探し出すことができる。
【０００９】
しかし、Ｘ線被曝はできるだけ避けることが要請されるため、Ｘ線源の照射線量はＸ線撮影に必要な最小限の大きさに抑制することが好ましい。本発明のＸ線身体検査システムでは、被験者がゲートを通過するときの速度を測定して、被験者ごとに適当なＸ線強度を調整することができる。高速で移動する者についてぼけのない画像を得ようとすれば、強いＸ線を使って短時間で撮影をする必要があるが、ゆっくり通過する者ならば露光時間を延ばす代わりにＸ線強度を低く設定することができる。
【００１０】
なお、速度センサは、検査通路の一方の側部から照明し、他方の側部に、多数のファイバ端を直線に並べて入射光の位置を検出するファイバセンサ、多数の光電スイッチを列として並べたセンサ、またはエリアセンサのいずれかを配置したものを利用して、人の進行につれて影の先端が進む距離を測定して人の移動速度を算定することができる。なお、一つの画像センサを使用しても同様に人の移動速度を算定することができる。また、スピードガンを使用して直接的に人の移動速度を測定してもよい。
【００１１】
さらに、検査通路に被験者の身体の厚さを計測する体厚センサを備え、その計測結果に基づいてＸ線源の照射条件を調整するようにしてもよい。太った人はＸ線の透過像を得るために強いＸ線を当てる必要があるが、痩せた人や子供には強いＸ線を照射する必要がない。不必要に強いＸ線を当てることはできるだけ回避することが好ましい。
体厚は、体の影を検出してその影の幅から求めることができる。そこで、体厚センサは、速度センサと同様に、検査通路の一方の側部から照明し、他方の側部にファイバセンサ、光電スイッチ列、エリアセンサなどを配置したもの、あるいは一つの画像センサを配置したもので構成することができる。
【００１２】
さらに、検査通路に監視カメラを設置し、被験者の顔もしくは全身の映像を取得して、Ｘ線画像信号と対応づけてデータベースに記録するようにしてもよい。Ｘ線身体検査中は分からなかったが後に疑いが生じたときに、被疑者を特定し手配するために利用することができる。
Ｘ線撮影場所である所定位置に被験者が存在することを検出する人センサを備えて、人センサの検出信号に基づいてＸ線撮影装置を作動させてＸ線撮影を行うようにしてもよい。このようなセンサを用いてＸ線撮影を自動化すると、検査効率は大幅に向上し、通過する搭乗客や入国者の流れをスムーズに捌くことができる。
【００１３】
なお、人センサとしては、通路に接点式スイッチを設置して、通過する人に手あるいは足で操作させるようにしてもよい。通路上の人が必ず踏む位置にスイッチと連動する板を敷いて、板を踏むとスイッチが作動するようにしたり、監視人がスイッチを操作するようにしてもよい。このような接点式スイッチは、極めて単純な構造を持ち安価に入手することができる。
また、体重を検知する荷重スイッチを利用してもよい。単なるフットスイッチであっても検査対象となる人の存在を検知することができる。また、体重を計測することができるものを用いて、計測された被験者の体重に基づいてＸ線発生装置を調整し、最適なＸ線強度をセットしてより鮮明な画像を得るようにしてもよい。
さらに、温度センサによっても人の存在を検出することができる。さらに接触センサを通路の床に配置して人がその上に来たときに検出信号を発生するようにしてもよい。
また、超音波または赤外線などの光線を使用して反射ビームを捕らえることにより人の存否を検出する方式のセンサを用いることもできる。
【００１４】
Ｘ線源とＸ線検出器はそれぞれ検査通路の側部に配置して、両者を結ぶ直線がＸ線撮影位置を通り検査通路の進行方向に角度をもって交わるようにしてもよい。また、それぞれ検査通路の天井と床下に配置されるようにしてもよい。
被験者の身体を斜めにＸ線照射することにより、Ｘ線被曝を抑制して鮮明なＸ線画像を得ることができる。Ｘ線源やＸ線検出器は、被験者の目には見えないような位置に格納することが好ましい。
【００１５】
検査通路の入口に人の通過を妨げる入口障害物を備え、さらに検査通路中に人が存在することを検知する人センサを備えて、人センサが人の存在を検出していないときのみ入口障害物をどかして人が検査通路に立ち入ることができるように構成してもよい。複数の人物が同時に検査装置に掛かると混乱して正しい判定を下すことが困難になるので、いつでも一人ずつが検査通路中に居るようにして、確実な判定ができるようにすることが好ましい。なお、入口障害物として、回転バー、開閉扉、回転扉などを利用することができる。
【００１６】
Ｘ線検出器は、１次元Ｘ線センサを備えて対象物と相対的に移動することにより撮影する方式であってもよく、また、２次元Ｘ線センサを備えて対象物を一括撮影する方式であってもよい。
１次元Ｘ線センサとして、シンチレータとフォトダイオードを組み合わせたもの、半導体検出器、イオンチャンバなどがあり、２次元Ｘ線センサとして、フラットパネル型検出器、イメージングプレート、イメージインテンシファイヤなどがある。
【００１７】
検査通路の出口に出口障害物を備え、側部に詳細検査場に通じる扉を備えて、検査により疑わしい物を帯同していないことが証明されると、自動的に出口を開いてゲートを通過させ、疑わしい物を検出したときには、別の部屋に導いて逮捕したりさらに精査することが可能である。
なお、検査通路にコンベヤを設備して、被験者がコンベヤで搬送されるようにしてもよい。コンベヤを用いると、被験者は適度な速度でＸ線検査装置の位置を通過するので、適度に抑制したＸ線被曝下で、順にＸ線身体検査を受けさせることができる。
なお、本発明のＸ線身体検査システムは、出入り口に鉄や鉛を含む材料を形成されたＸ線遮蔽能力のある遮蔽扉を設けることが好ましい。
【００１８】
【発明の実施の形態】
以下実施例を用いて本発明を詳細に説明する。
図１は本発明に係る保安用Ｘ線身体検査システムの第１の実施例を表した平面図、図２は第２実施例を表す平面図である。
【００１９】
【実施例１】
第１の実施例は、空港において搭乗者や入国者の検査を行うために設置されるもので、直進通路に２次元Ｘ線センサを配置したＸ線身体検査装置である。人は徒歩で通路を通過する間にＸ線撮影される。
検査通路１を挟んでＸ線源２とＸ線検出器３が設けられている。検査通路１を被験者４が歩いて通過する。検査通路１の中程に撮影位置５が設定されていて、Ｘ線源２から放射されるＸ線は、この撮影位置５を通過中の被験者４を斜め前から透過してＸ線検出器３に入射して、Ｘ線透過像を形成する。Ｘ線検出器３の出力はＸ線検査制御装置６に供給される。
【００２０】
Ｘ線検出器３が、フラットパネル型検出器、イメージングプレート、イメージインテンシファイヤなどの２次元Ｘ線センサを利用したものであるときは、Ｘ線源２は図１に示すように、Ｘ線ビームが２次元的広がりを持つものを使用する。Ｘ線源２とＸ線検出器３をＸ線ビームが被験者の体を斜めに透過するように配置するのは、設備の構成上、被験者の体の厚さが最も薄くなる前後方向に照射することができないので、できるだけ体厚の薄い方向に照射することによりＸ線被曝を可能な限り低減させるためである。
【００２１】
Ｘ線検査制御装置６は、Ｘ線検出器３の出力を処理して画像化するほかに、Ｘ線源２とＸ線検出器３の制御も行う。
Ｘ線検査制御装置６は、Ｘ線透過像を画像表示装置７に表示させる。また、パターン認識を用いた画像処理などにより異物を自動検出して、検出結果をＸ線透過像と重ねて表示したりすることもできる。係員は画像表示装置７に表されるＸ線透過画像を観察したり、自動検出結果を参照して、被験者４の衣服や体内に隠した不審物を発見することができる。
【００２２】
本実施例のＸ線身体検査装置では、撮影位置５の手前に速度センサ９と体厚センサ１０を設置し、また撮影位置５に人センサ８を設置してある。また、検査通路１の入口に入口開閉扉１１を設けてもよい。入口開閉扉１１は、一人ずつ検査を行うため、検査通路１内に人がいないときだけ開くようにした扉である。さらに、検査通路１には被験者４を監視し顔や体の写真を撮るための監視カメラ１２を備えてもよい。
【００２３】
さらに、検査通路１の出口には出口開閉扉１３が設けられ、検査通路１の側面には詳細検査を行う部屋に通じる扉１４が目立たないように設けられている。身体検査の結果、問題がない場合は、出口開閉扉１３が開き被験者４はゲートの内に進入することができるが、検査の結果、何らかの問題が発見されたときは、出口開閉扉１３はロックされて開かず、代わりに側面の扉１４が開いて被験者４を詳細検査場に導いて、係官による精査を受けることになる。
【００２４】
速度センサ９は、被験者の影の進行速度を測るものであってもよい。たとえば、検査通路１の一側から可視光や赤外光などで照明して、反対側に設けた光センサで影の進行速度を計測する。光センサとしては、多数のファイバ端を直線に並べて入射光の位置を検出するファイバセンサ、多数の光電スイッチを列として並べたセンサ、またはエリアセンサなどが使用できる。また、スピードガンを使用して直接的に人の移動速度を測定してもよい。あるいは、一つの画像センサを使用して人の進む速度を算定することもできる。
【００２５】
また、体厚センサ１０は、人の体の厚さを測定するもので、ある瞬間におけるシルエットの幅を求めてもよく、また進行速度が分かっている場合は人体の通過時間を計測して算定してもよい。検出部は速度センサにおける光センサや画像センサを流用して、計測結果を厚さ計測に適したように処理することにより体厚センサと兼用することができる。勿論、体厚センサとして独立した検出部を設置して使用してもよい。
【００２６】
人センサ８は、通路に接点式スイッチを設置して、通過する人に手あるいは足で操作させるようにしたもの、通路上の人が必ず踏む位置にスイッチと連動する板を敷いて、板を踏むとスイッチが作動するようにしたもの、また、監視人がスイッチを操作するようにしたものであってもよい。このような単純な構造を持つ接点式スイッチで構成した人センサは、極めて安価に作成することができる。
また、体重を検知する荷重スイッチを利用してもよい。単なるフットスイッチであっても検査対象となる人の存在を検知することができる。体重を計測することができるものを用いたときは、計測された被験者の体重に基づいてＸ線発生装置を調整し、最適なＸ線強度をセットしてより鮮明な画像を得るようにすることができる。
【００２７】
さらに、赤外線を用いた温度センサなどによっても人の存在を検出することができる。さらに接触センサを通路の床に配置して人がその上に来たときに検出信号を発生するようにしてもよい。
また、超音波または赤外線などの光線を使用して反射ビームを捕らえることにより人の存否を検出する方式のセンサを用いることもできる。
【００２８】
本実施例のＸ線身体検査装置では、被験者４が検査通路１に進入し、歩いて速度センサ９と体厚センサ１０が設置されているところを通過すると、速度センサ９が被験者４の撮影位置５を通過する速度を推定し、体厚センサ１０が被験者４の体の厚みを測定する。これら検出結果はＸ線検査制御装置６に供給され、Ｘ線検査制御装置６からＸ線源２の強度調整やＸ線検出器３の感度調整を行う。
低速で歩く人については、高速歩行する人に必要とされるＸ線強度が無くても同じ程度に鮮明なＸ線透過像を得ることができるので、Ｘ線源２の出力を下げて被験者４のＸ線被曝を低減させる。
【００２９】
また、太った人、体格のよい人は体の厚さが大きく、Ｘ線を透過させるには強いＸ線が必要になるのに対して、痩せた人、子供などは透過すべき距離が小さくなるので弱いＸ線で透過像を得ることができる。人の体格に合わせてできるだけＸ線被曝を抑制するようにＸ線源２を調整する。
人センサ８は被験者４が撮影位置５に来たところを検出して、Ｘ線検査制御装置６に指示信号を与え、Ｘ線検査制御装置６がＸ線源２とＸ線検出器４を作動させて被験者４が撮影位置５を通過する間にＸ線画像を撮影する。Ｘ線画像に現れた透過映像から異物を検出し、危険物や麻薬などの不審物か否かを判定する。なお、一定の異物を検出すればよいときは、パターン認識法などを利用して画像処理により自動的に検出することも可能である。判定結果に問題がなければ出口開閉扉１３から進入させ、問題があれば側面扉１４を開けて被験者４を詳細検査場に案内して詳細な身体検査を行う。
【００３０】
取得されたＸ線画像はデータベースに格納して、後に再検査ができるようにする。
なお、監視カメラ１２で取得された被験者４の映像は、Ｘ線画像と対応できる状態でデータベースに格納しておくことが好ましい。Ｘ線画像を再検査して不審人物が検出されたときに、格納された映像に基づいて手配を行うことができれば、広い空港内でも比較的容易にその不審人物を発見し、大事に至る前に拘束することにより危険を回避する可能性を高める。
【００３１】
本実施例のＸ線身体検査装置では、被験者４は検査通路１を歩いて通過する間にＸ線身体検査が終了するので、人の流れを妨げることなく効率よく保安上の検査を実行し、空港や飛行機の安全を確保することができる。また、Ｘ線撮影装置は目立たない状態で設備されているので、被験者は不快感を持たずに検査を受けるようになる。
なお、本実施例において、Ｘ線源２とＸ線検出器３は、検査通路１の床下と天井裏にそれぞれ配置することもできる。
【００３２】
また、Ｘ線検出器３に、シンチレータとフォトダイオードを組み合わせたもの、半導体検出器、イオンチャンバなどの１次元Ｘ線センサを縦に用い、Ｘ線源２に縦方向に板状になったスリットビームを使用してもよい。このような組み合わせでは、被験者４が歩いてＸ線スリットビームを横切る間のＸ線透過画像情報を集合して合成することにより、被験者４の全身についてのＸ線透過像を得ることができる。
なお、入口開閉扉１１や出口開閉扉１３は、回転バーや開き戸、回転扉などであっても良いことはいうまでもない。
【００３３】
【実施例２】
図２に示す第２の実施例は、図１に示した第１実施例と比較すると、検査通路に人が乗って移動するベルトコンベヤ、いわゆる動く歩道を設置したところとＸ線源にスリット状Ｘ線ビームを用いＸ線検出器に１次元Ｘ線センサを用いるところのみが異なる保安用Ｘ線身体検査システムである。なお、図１と共通の要素に同じ参照番号を付して説明を簡約化する。
【００３４】
本実施例では、検査通路１にベルトコンベヤ１５を敷設してあって、被験者４がコンベヤ１５の上でじっとしているだけで定速で撮影位置を通過するようになっている。ただし、コンベヤ１５上でも歩く人がいるので、速度センサ９を使って実際の速度を計測してＸ線源１６を調整する。
また、縦方向に板状になったスリットビームを発生するＸ線源１６と１次元Ｘ線センサを縦方向にセットしたＸ線検出器１７が、Ｘ線源１６から放射されるＸ線ビームが、撮影位置５を通過中の被験者４を斜め前から透過してＸ線検出器１７に入射するように配置されている。
【００３５】
本実施例のＸ線身体検査装置では、被験者４が検査通路１に進入し、コンベヤ１５に乗って速度センサ９の前を通過して被験者４の撮影位置５を通過する速度を推定し、体厚センサ１０の前を通過して被験者４の体の厚みを測定し、これら結果がＸ線検査制御装置６に供給され、Ｘ線源２の強度調整やＸ線検出器３の感度調整を行う。
これら調整により、可能な限りＸ線源１６の出力を下げて被験者４のＸ線被曝を低減させる。
【００３６】
被験者４が撮影位置５に到達すると人センサ８がこれを検出して、Ｘ線検査制御装置６にＸ線源１６とＸ線検出器１７を作動させて被験者４が撮影位置５を通過する間にＸ線画像を撮影する。
Ｘ線画像に現れた透過映像から異物を検出し、危険物や麻薬などの不審物が検出されたときは側面扉１４を開けて被験者４を詳細検査場に案内して詳細な身体検査を行う。また、異常が検出されないときは出口開閉扉１３のロックを解除して外に出られるようにする。
その他の機能は、図１で説明したものと差がない。
【００３７】
【発明の効果】
以上説明した通り、本発明の保安用Ｘ線身体検査システムは、検査装置を意識させずに、人が移動する間に鮮明なＸ線画像を効率よく取得することができるので、空港や入国管理所に設置して被疑者に限らず全員に身体検査を受けさせることにより、危険物の機内持ち込みや禁制品の国内持ち込みを水際で確実に阻止することができる。
【図面の簡単な説明】
【図１】本発明の第１実施例に係る保安用Ｘ線身体検査装置の平面図である。
【図２】本発明の第２実施例に係る保安用Ｘ線身体検査装置の平面図である。
【符号の説明】
１　検査通路
２，１６　Ｘ線源
３，１７　Ｘ線検出器
４　被験者
５　撮影位置
６　Ｘ線検査制御装置
７　画像表示装置
８　人センサ
９　速度センサ
１０　体厚センサ
１１　入口開閉扉
１２　監視カメラ
１３　出口開閉扉
１４　側面扉
１５　ベルトコンベヤ
【図１】
2004069576.tif 000003
【図２】
2004069576.tif 000004